(57)【特許請求の範囲】
【請求項１】
エアバッグ膨張用ガスを発生するインフレータと、前記オートバイの前方衝突の際、前記インフレータにて発生したエアバッグ膨張用ガスの供給によって、乗員前方側の乗員拘束領域に展開膨張して乗員を拘束するエアバッグとを有し、オートバイに装着されるエアバッグ装置であって、
更に、前記エアバッグを車体側に繋ぎ留める左右一対の長尺状のウェビングと、エアバッグ収容時における各ウェビングの弛み部分を重ねることで当該ウェビング長さが伸長状態よりも短くなるように左右同一の状態に束ねて保持する一方、エアバッグ展開膨張時において当該保持を解除し、各ウェビングが弛み状態から伸長状態となるウェビング動作を円滑化することで、前記エアバッグが左右いずれか一方に片寄るのを防止するウェビングホルダとを備え、
前記ウェビングホルダは、各ウェビングの弛み部分での繋留体対向面同士をパイル構造を介して離着自由とする面ファスナー、各ウェビングの弛み部分を離脱可能に縫合する縫合部、各ウェビングの弛み部分を離脱可能に縛る縛り部の少なくとも１つを用いて構成されることを特徴とするエアバッグ装置。
【請求項２】
請求項１に記載のエアバッグ装置であって、
前記ウェビングホルダは、各ウェビングの弛み部分における保持位置を左右対称とする構成であり、これにより前記エアバッグが左右均等に展開膨張するように各ウェビングが弛み状態から伸長状態となるウェビング動作を円滑化することを特徴とするエアバッグ装置。
【請求項３】
エアバッグ膨張用ガスを発生するインフレータと、前記オートバイの前方衝突の際、前記インフレータにて発生したエアバッグ膨張用ガスの供給によって、乗員前方側の乗員拘束領域に展開膨張して乗員を拘束するエアバッグとを有し、オートバイに装着されるエアバッグ装置であって、
更に、前記エアバッグを車体側に繋ぎ留める単一の長尺状のウェビングと、エアバッグ収容時における前記ウェビングの弛み部分を重ねることで当該ウェビング長さが伸長状態よりも短くなるように束ねて保持する一方、エアバッグ展開膨張時において当該保持を解除し、前記ウェビングが弛み状態から伸長状態となるウェビング動作を円滑化することで、当該ウェビングが前記エアバッグの展開膨張動作を規制するのを防止するウェビングホルダとを備え、
前記ウェビングホルダは、前記ウェビングの弛み部分でのウェビング対向面同士をパイル構造を介して離着自由とする面ファスナー、前記ウェビングの弛み部分を離脱可能に縫合する縫合部、前記ウェビングの弛み部分を離脱可能に縛る縛り部の少なくとも１つを用いて構成されることを特徴とするエアバッグ装置。
【請求項４】
オートバイ車両の前方衝突の際、インフレータにて発生したエアバッグ膨張用ガスの供給によって、乗員前方側の乗員拘束領域に展開膨張して乗員を拘束するエアバッグと、前記エアバッグを車体側に繋ぎ留める長尺状のウェビングとを有するエアバッグ装置が装着されたエアバッグ装置付オートバイであって、
前記エアバッグ装置として、請求項１〜３のいずれかに記載のエアバッグ装置が用いられていることを特徴とするエアバッグ装置付オートバイ。
【発明の詳細な説明】
【技術分野】
【０００１】
本発明は、オートバイに装着されるエアバッグ装置の構築技術に関するものである。
【背景技術】
【０００２】
従来、オートバイにエアバッグ装置を装着することによって乗員の拘束を図る種々の技術が知られている。例えば、自動二輪車において、前方衝突発生の際に、エアバッグが膨張ガスによって展開膨張し、これにより乗員を拘束するという技術が公知である（例えば、下記特許文献１参照。）。この特許文献１に記載のエアバッグ装置は、エアバッグ装置側と車体側（車体フレーム）とを繋留体で連結し、この繋留体がエアバッグの展開膨張動作に伴って伸長して当該エアバッグを保持する構成を有する。
【特許文献１】特開平１０−３５５６４号公報
【発明の開示】
【発明が解決しようとする課題】
【０００３】
上記特許文献１に記載のエアバッグ装置では、当該エアバッグ装置の作動前において、エアバッグ装置側と車体側とを連結する繋留体の一部が弛んだ状態となり、当該繋留体が弛んだ状態で所定の収容箇所に収容される。エアバッグ装置のこのような構成においては、エアバッグ収容時に繋留体は不規則に弛んだ状態となるため、オートバイ車両の前方衝突発生の際に展開膨張するエアバッグの展開膨張動作に伴って、弛み状態から伸長状態となる当該繋留体の動作が、エアバッグの所望の展開膨張動作に影響を及ぼすという問題が起こり得る。
そこで、本発明は、かかる点に鑑みてなされたものであり、オートバイに装着されるエアバッグ装置において、エアバッグの展開膨張動作の円滑化を図るのに有効な技術を提供することを課題とする。
【課題を解決するための手段】
【０００４】
上記課題を達成するため、各請求項記載の発明が構成される。これら各請求項に記載の発明は、典型的には、各種のオートバイに搭載されるエアバッグ装置の構成に適用することができる。なお、本明細書において、車両の典型例である「オートバイ」は、鞍乗車両、すなわち乗員がシートに跨って着座する形態の車両を広く含むものとし、例えば乗員シートの前方に燃料タンクが併設されたツーリングタイプの自動二輪車、乗員シートとハンドル支持用ヘッドパイプとの間に空間部が形成されたスクータータイプの自動二輪車のいずれも包含する。さらに自動二輪車以外に、三つ以上の走行輪を有しつつ乗員が鞍乗して着座する車両（例えば宅配等に用いられる三輪式バイク、悪路走破用の三輪ないし四輪バギー式バイク）、さらにはスノーモービル等のようにソリないし無限軌道帯によって走行しつつ乗員が鞍乗して着座する車両についても上記「オートバイ」に広く包含されるものとする。
【０００５】
（本発明の第１発明）
前記課題を解決する本発明の第１発明は、請求項１に記載のエアバッグ装置である。このエアバッグ装置は、オートバイに装着されるものであって、インフレータ、エアバッグ、左右一対のウェビング、ウェビングホルダを少なくとも備える。
本発明のインフレータは、エアバッグ膨張用ガスを発生する手段として構成される。本発明のエアバッグは、オートバイの前方衝突の際、インフレータにて発生したエアバッグ膨張用ガスの供給によって、乗員前方側の乗員拘束領域に展開膨張して乗員を拘束するエアバッグとして構成される。ここでいう「前方衝突」には、オートバイ車両がその前方側において走行状態或いは静止状態の衝突対象物、例えば別車両、歩行者、障害物等に衝突する形態が広く包含される。また、ここでいう「乗員拘束領域」は、前方衝突時の運動エネルギーによって乗員がオートバイ車両前方に向かって移動しようとする場合に、当該乗員の前方移動方向上に延在し、オートバイ車両前方に投げ飛ばされようとする当該乗員を拘束するための空間として定義される。
【０００６】
本発明の左右一対のウェビングは、エアバッグを車体側に繋ぎ留める長尺状の部材として構成される。このウェビングとしては、エアバッグを車体側に保持可能な強度を有する長尺状のものを用いることができる。本発明でいう「長尺状」とは、ベルト状や紐状ものを広く含む主旨であり、典型的には樹脂繊維糸等をベルト状に加工したウェビングを好適に用いる。このような構成の繋留体は、エアバッグの展開膨張完了時において当該エアバッグをその張力によって車体側に保持することでエアバッグの前方側への移動を規制する機能を有する。本発明において、このウェビングの設置数は必要に応じて１または複数に適宜設定可能である。
【０００７】
ところで、上記構成のウェビングは、エアバッグ収容時においては不規則に弛んだ状態となるため、オートバイ車両の前方衝突発生の際に展開膨張するエアバッグの展開膨張動作に伴って、弛み状態から伸長状態となる当該ウェビングの動作が、エアバッグの所望の展開膨張動作に影響を及ぼすおそれがある。そこで、本発明では、このウェビングに対応したウェビングホルダを設けることとした。
本発明のウェビングホルダは、エアバッグ収容時における各ウェビングの弛み部分を重ねることで当該ウェビング長さが伸長状態よりも短くなるように左右同一の状態に束ねて保持する一方、エアバッグ展開膨張時においてその保持を解除し、各ウェビングが弛み状態から伸長状態となるウェビング動作を円滑化することで、エアバッグが左右いずれか一方に片寄るのを防止する手段として構成される。ここでいう「左右同一の状態」は、各ウェビングの弛み部分を同じ回数だけ同じ方向に向けて折り重ねる（折り返す）態様、各ウェビングの弛み部分を同じ巻き数だけ同じ巻き方向へと巻き上げる態様などによって実現される。また、ここでいう「保持」に関しては、ウェビングの弛み部分を一時的に所定の束ね態様で保持することが可能であれば足り、「保持の解除」に関しては、エアバッグ展開膨張と同期して、或いはエアバッグ展開膨張力を利用して所定の束ね態様の保持を解放することが可能であれば足りる。従って、本発明のウェビングホルダの具体的な構成のうち、エアバッグ展開膨張力を利用して所定の束ね態様の保持を解放するものとして、例えばウェビングの弛み部分の対向面同士に面ファスナーを設ける構成、ウェビングの弛み部分をテアシームなどで離脱可能に縫合する構成、ウェビングの弛み部分を粘着テープや面ファスナーを有するテープによって離脱可能に縛る（巻き上げる）構成の少なくとも１つを採用することができる。このような構成によれば、弛み部分が同一の束ね態様で予め保持された左右一対のウェビングが、エアバッグの展開膨張動作に伴って弛み状態から伸長状態となるとき、当該動作がウェビングホルダによって円滑化されるため、エアバッグが左右いずれか一方に片寄るのを防止することが可能となる。特に、ウェビングホルダとして面ファスナーを用いることによって、ウェビングの弛み部分における対向面同士の貼り及び剥がしが自在とされ繰り返し使用が可能となるため合理的である。
従って、請求項１の記載のエアバッグ装置のこのような構成によれば、エアバッグの展開膨張動作の円滑化を図ることが可能となる。
【０００８】
（本発明の第２発明）
前記課題を解決する本発明の第２発明は、請求項２に記載のエアバッグ装置である。このエアバッグ装置では、請求項１に記載のウェビングホルダは、各ウェビングの弛み部分における保持位置を左右対称とする構成であり、これによりエアバッグが左右均等に展開膨張するように各ウェビングが弛み状態から伸長状態となるウェビング動作を円滑化する構成とされる。このような構成によれば、エアバッグの展開膨張動作に伴って、各ウェビングが左右でほぼ均等に弛み状態から伸長状態となるため、各ウェビングが当該エアバッグに及ぼす荷重を左右でほぼ均等にすることが可能となり、当該エアバッグを左右均等にバランスよく展開膨張させることが可能となる。
従って、請求項２の記載のエアバッグ装置のこのような構成によれば、エアバッグの展開膨張動作の更なる円滑化を図ることが可能となる。
【０００９】
（本発明の第３発明）
前記課題を解決する本発明の第３発明は、請求項３に記載のエアバッグ装置である。このエアバッグ装置は、インフレータ、エアバッグ、単一のウェビング、ウェビングホルダを少なくとも備える。
本発明におけるインフレータ及びエアバッグは、請求項１に記載のエアバッグ装置におけるインフレータ及びエアバッグと同様の構成を有する。単一のウェビングは、エアバッグを車体側に連結する１本の長尺状部材として構成される。ウェビングホルダは、エアバッグ収容時におけるウェビングの弛み部分を重ねることで当該ウェビング長さが伸長状態よりも短くなるように束ねて保持する一方、エアバッグ展開膨張時において当該保持を解除し、ウェビングが弛み状態から伸長状態となるウェビング動作を円滑化することで、当該ウェビングがエアバッグの展開膨張動作を規制するのを防止する手段として構成される。特に、本発明においては、このウェビングホルダは、ウェビングの弛み部分でのウェビング対向面同士をパイル構造を介して離着自由とする面ファスナー、ウェビングの弛み部分を離脱可能に縫合する縫合部、ウェビングの弛み部分を離脱可能に縛る縛り部の少なくとも１つを用いて構成される。ここでいう「所定の束ね態様」は、単一のウェビングの弛み部分を折り重ねる（折り返す）態様、単一のウェビングの弛み部分を巻き上げる態様などによって実現される。このような構成によれば、弛み部分が所定の束ね態様で予め保持された単一のウェビングが、弛み状態から伸長状態となる動作を、ウェビングホルダによって円滑化することで、当該ウェビングがエアバッグの展開膨張動作を規制するのを防止することが可能となる。
従って、請求項３の記載のエアバッグ装置のこのような構成によれば、エアバッグの展開膨張動作の円滑化を図ることが可能となる。
【００１０】
（本発明の第４発明）
前記課題を解決する本発明の第４発明は、請求項４に記載のエアバッグ装置付オートバイである。このエアバッグ装置付オートバイは、請求項１〜請求項３のいずれかに記載のエアバッグ装置が装着されたオートバイとして構成される。
従って、請求項４に記載の発明によれば、エアバッグの展開膨張動作の円滑化を図ることが可能なエアバッグ装置を搭載したオートバイが提供される。
【発明の効果】
【００１１】
以上のように、本発明によれば、オートバイに装着されるエアバッグ装置において、特に、エアバッグを車体側に連結する長尺状のウェビングの弛み部分を、エアバッグ収容時において所定の束ね態様で保持する一方、エアバッグ展開膨張時において当該保持を解除するウェビングホルダを用いることによって、ウェビングホルダにより弛み部の保持が解除されたウェビングの動作がエアバッグの所望の展開膨張動作に対し影響を及ぼすのを抑えることができ、これによってエアバッグの展開膨張動作の円滑化を図ることが可能となった。
【発明を実施するための最良の形態】
【００１２】
以下、本発明の実施の形態を、図面を参照しつつ詳細に説明する。まず、図１および図２を用いて、自動二輪車１００の全体構成を説明する。ここで、図１は、本発明の「オートバイ」の一実施の形態に係る自動二輪車１００を側面から視た図であって、当該自動二輪車１００の車両にエアバッグ装置１２０を搭載した様子を示す。図２は、図１中の自動二輪車１００を車両上方から視た様子を示す図である。なお、本実施の形態の自動二輪車１００は、本発明における「オートバイ」ないし「オートバイ車両」の一例に相当する。
【００１３】
図１及び図２に示すように、自動二輪車１００は、エンジンやメインフレーム等により構成される車体構成部１０１、乗員が跨って着座可能なシート１０３、ハンドル１０４、前輪１１１および後輪１１２等を主体とする、いわゆるツーリングタイプのオートバイとして構成される。
【００１４】
自動二輪車１００の車体構成部１０１上方であって、シート１０３に着座した乗員の前方側領域は、自動二輪車１００が前方衝突を起こした際の乗員拘束領域１５０として規定される。本実施の形態において「前方衝突」には、自動二輪車１００が前方側の各種の衝突対象物（便宜上、特に図示しないが、例えば車両、歩行者、障害物、ガードレールなどの衝突対象物）に対し衝突する形態を広く包含する。また、本実施の形態における「乗員拘束領域１５０」は、本発明における「乗員拘束領域」に対応する領域であり、シート１０３に着座した乗員が、前方衝突時の運動エネルギーによって車両前方に向かって移動しようとする場合に、当該乗員の前方移動方向線上に延在し、車両前方へと投げ飛ばされようとする当該乗員を拘束するための空間として定義される。
【００１５】
車体構成部１０１のうち車両前方側のフロント部１０２には、ヘッドライト、各種のメーター類、スイッチ類、ウインドシールド等が設けられている。このフロント部１０２と、シート１０３との間の領域には、車体構成部材１０５の前方に燃料タンク１０６が設けられ、その燃料タンク１０６よりも前方にエアバッグ装置（「エアバッグモジュール」ともいう）１２０が配設されている。また、燃料タンク１０６の両側には、エアバッグ装置１２０の一構成部材である左右一対のウェビング１４０，１４０の覆うウェビングカバー１０７，１０７が配設されている。エアバッグ装置１２０が作動していない通常状態では、このウェビングカバー１０７，１０７の被覆作用によって、ウェビング１４０，１４０が外部から見えない、或いは見え難いように構成されている。このウェビング１４０，１４０の詳細については、エアバッグ装置１２０の構成の説明において後述する。
【００１６】
ここで、本実施の形態のエアバッグ装置１２０の構成を、図３〜図１４を参照しながら詳細に説明する。なお、このエアバッグ装置１２０は、シート１０３に着座した乗員の乗員拘束領域１５０を臨むように配置されている。このエアバッグ装置１２０が、本発明における「エアバッグ装置」に対応している。
【００１７】
図２中の自動二輪車１００のＡ−Ａ線における断面構造が図３に示され、図３の部分拡大図が図４に示される。また、図２中の自動二輪車１００のＢ−Ｂ線における断面構造が図５に示される。図３及び図４に示すように、エアバッグ装置１２０は、エアバッグ１２１、インフレータ１２２、リテーナー１２３、モジュールカバー１３０、ウェビング１４０を主体として構成される。
【００１８】
エアバッグ１２１は、リテーナー１２３内に予め所定の折り畳み態様（蛇腹折りやロール折りなど）で折り畳まれた状態で収容されるエアバッグとして構成される。図３において、エアバッグ１２１の突出（展開）方向を矢印１０で示している。このエアバッグ１２１は、自動車用のエアバッグ布と同様の素材によって構成される。このエアバッグ１２１が、本発明における「エアバッグ」に対応している。
【００１９】
インフレータ１２２は、車両衝突の際、折り畳み状態のエアバッグ１２１がリテーナー１２３から展開しつつ膨張するように、エアバッグ膨張用ガスを発生しエアバッグ１２１の内部に供給するガス供給手段として構成とされる。このインフレータ１２２が、本発明における「インフレータ」を構成する。
【００２０】
リテーナー１２３は、エアバッグ１２１を収容するエアバッグ収容部１２３ａと、インフレータ１２２を収容するインフレータ収容部（凹み部）１２３ｂとを少なくとも有する有底箱状のケース体として構成される。このリテーナー１２３は、エアバッグ１２１を収容するとともに、その上部にエアバッグ１２１の展開膨張を許容する開口部分（エアバッグ開口）を有する。このリテーナー１２３は、典型的には金属材料をプレス加工することによって成形される。
【００２１】
ところで、本実施の形態では、後述する各ウェビング１４０は、リテーナー１２３の内部から外部にわたって延在することとなるため、車両が走行中に振動する際や、メンテナンス時に各ウェビング１４０が収容体から引き出される際、またエアバッグ１２１の展開膨張動作に伴って弛み状態から伸長状態となる際などにおいて、リテーナー１２３に接触することで局所的な磨耗を生じるおそれがある。そこで、本実施の形態では、このリテーナー１２３の各部位のうち、各ウェビング１４０が当接する可能性がある部位には折り曲げ部１２４が設けられている。この折り曲げ部１２４は、リテーナー１２３の金属板片の上端部に円滑面（図４中の円滑面１２４ａ）を備える。この円滑面１２４ａは、リテーナー１２３の上端部（板状端部）を折り返し加工（折り曲げ加工）することによって形成される。この円滑面１２４ａは、円ないし楕円の一部に相当する円弧状の円滑面（円弧面）であり、その形状によって、リテーナー１２３における被当接部と各ウェビング１４０との間の摺動抵抗を抑え、円滑な摺動を許容する機能を有する。
【００２２】
具体的には、この円滑面１２４ａは、車両の振動や、メンテナンス時におけるウェビング引き出し操作や、エアバッグ１２１の展開膨張動作などに伴って移動するときに、当該ウェビング１４０の移動方向に対し当該ウェビング１４０との間の面接触を維持しつつ当該ウェビング１４０の移動を許容する円滑面状に構成される。このとき、ウェビング１４０と円滑面１２４ａとの当接領域においては、これらウェビング１４０と円滑面１２４ａとの曲率がほぼ等しくなる。換言すれば、この円滑面１２４ａは、ウェビング１４０がリテーナー１２３に対して移動するときに、ウェビング１４０の曲率を当該円滑面１２４ａの曲率に合致させるように面接触状態を維持しつつ誘導する手段として構成される。
【００２３】
このような構成によれば、金属材料製のリテーナー１２３との当接により、例えば繊維素材製の各ウェビング１４０が磨耗するのを、折り曲げ部１２４の円滑面１２４ａを介して防止することが可能となる。また、本実施の形態では、各ウェビング１４０が当接する被当接部であるリテーナー１２３自体が円滑面１２４ａを有する構成であるため、円滑化手段に関する構造が簡素され、部品点数を抑えることが可能となる。また、好ましくは、折り曲げ部１２４における円滑面１２４ａの表面積を増やして、各ウェビング１４０の局部に摩擦力が集中するのを分散する構成を用いるのが効果的である。なお、このリテーナー１２３の更なる詳細な構成については後述する。
【００２４】
モジュールカバー１３０は、リテーナー１２３の開口部分（エアバッグ開口）を上方から覆うことで、エアバッグ１２１を被覆する部材として構成され、天板部１３１及び立設部１３２を少なくとも有する。このモジュールカバー１３０は、典型的には樹脂材料を用いた金型成形によって成形される。
【００２５】
天板部１３１は、リテーナー１２３のエアバッグ開口領域にて開口面方向にほぼ水平状に延在することで、エアバッグ装置１２０の上面を規定する板状の部位として構成される。立設部１３２は、天板部１３１の下面（裏面）から当該天板部１３１と延在面と交差する垂直方向に延在するとともに、リテーナー１２３側に向けて立設する板状の部位として構成される。この立設部１３２がリテーナー１２３側の被取り付け部（後述する留め具１２８）を介して取り付け固定されることで、モジュールカバー１３０とリテーナー１２３とが連結される。
【００２６】
また、図４に示すように、この立設部１３２の車両後方側（乗員側）には、モジュールカバー１３０の内部と外部とを連通する左右一対の通し孔１３４，１３４が形成されており、各通し孔１３４を通じて、後述するウェビング１４０をモジュールカバー１３０のカバー内部とカバー外部との間にわたって延在させることが可能となる。このモジュールカバー１３０は、車両衝突の際、天板部１３１がエアバッグ１２１からの展開膨張力を受けると、立設部１３２に形成された後述するテアライン１３３及びテアライン１３５，１３５に沿って開裂し、リテーナー１２３の開口部分（エアバッグ開口）の被覆状態を解除するように動作する。これによって、エアバッグ１２１の展開膨張動作が許容されることとなる。なお、このモジュールカバー１３０の更なる詳細な構成については後述する。
【００２７】
なお、本実施の形態では、長尺状の繋留体としての左右一対のウェビング１４０，１４０によって、エアバッグ１２１が自動二輪車１００の車体側に繋ぎ留められるようになっている。この１４０，１４０は、例えば自動車用のシートベルトと同様のウェビング素材（樹脂繊維糸を用いてベルト状に加工されたもの）、ないしエアバッグ布と同様の素材によってベルト状に構成される。各ウェビング１４０を、ベルト状にかえて紐状に構成することもできる。各ウェビング１４０は、その一端部１４１がエアバッグ１２１に縫合され、他端部１４２が車体側の留め具（図１及び図２中の留め具１０８）に連結されている。すなわち、ウェビング１４０，１４０は、エアバッグ装置１２０と車体との間において、２箇所に並列して前後方向に延在することとなる。図４及び図５に示すように、各ウェビング１４０は、エアバッグ装置１２０が作動していない状態では、ウェビングカバー１０７と車体構成部材１０５との間の収容空間に延在し、ウェビング上方がウェビングカバー１０７によって被覆される。このウェビング１４０，１４０が、本発明における「ウェビング」に相当する。
【００２８】
ところで、各ウェビング１４０は、エアバッグ収容時においては不規則に弛んだ状態となるため、オートバイ車両の前方衝突発生の際に展開膨張するエアバッグ１２１の展開膨張動作に伴って、弛み状態から伸長状態となる当該ウェビング１４０の動作が、エアバッグ１２１の所望の展開膨張動作に影響を及ぼすおそれがある。そこで、本実施の形態では、各ウェビング１４０には、エアバッグ装置１２０の作動前（エアバッグ収容時）におけるウェビング弛みを所定の束ね態様で保持するべく、ウェビングカバー１０７の下方に折り重ね部１４３が形成されている。各折り重ね部１４３では、各ウェビング１４０の弛み部分が左右で同一方向に同一回数だけ折り重ねられる（折り返される）とともに、この弛み部分に形成される対向面には、当該弛み部分を当該折り重ね状態（本発明における「左右同一の束ね態様」に相当）に一時的に保持可能な面ファスナー１４４が設けられている。この面ファスナー１４４が、本発明における「ウェビングホルダ」及び「面ファスナー」を構成する。
【００２９】
この面ファスナー１４４は、既知の構成の面ファスナーであり、パイル構造を利用した離着自由のテープとして構成され、いわゆる「マジック式テープ」とも称呼される。具体的には、この面ファスナー１４４において、小さなマッシュルーム型の膨頭子（フックタイプはカギ型のフック）の形が一方の面に配置されており、ループの形が他方の面に配置されている。この二つの面を貼り合わせると、マッシュルーム（或いはフック）がループに引っかかる（絡む）ことで、簡単にくっつき、また剥がすときは、お互いを引っ張ることで、絡みからマッシュルーム（或いはフック）が抜け、簡単に剥がすことができるようになっている。
【００３０】
このような構成によれば、エアバッグ収容時において各折り重ね部１４３を折り重ねた状態（束ねた状態）は、この面ファスナー１４４を介して一時的に保持される。一方、エアバッグ１２１の展開膨張時において各ウェビング１４０に所定の引っ張り荷重が作用すると、面ファスナー１４４による保持力が解除され、各折り重ね部１４３を折り重ねた状態（束ねた状態）が解除されることとなる。従って、弛み部分が所定の束ね状態に予め保持された各ウェビング１４０が、エアバッグ１２１の展開膨張動作に伴って、弛み状態から伸長状態となるため、当該ウェビング１４０の動作がエアバッグ１２１の所望の展開膨張動作に対し影響を及ぼすのを抑えることが可能となる。
【００３１】
また、本実施の形態のウェビング１４０，１４０における折り重ね部１４３，１４３の構成が図６に示される。図６に示すように、本実施の形態では、面ファスナー１４４を介して一時的に保持された折り重ね部１４３，１４３が概ね左右対称位置に配置されるように構成されている。このような構成によれば、エアバッグ収容時における各ウェビング１４０の弛みを抑えるとともに、エアバッグ１２１の展開膨張時において伸長動作する各ウェビング１４０が当該エアバッグ１２１に及ぼす荷重を左右でほぼ均等にすることが可能となり、当該エアバッグ１２１を左右均等に展開膨張させるのに有効である。
【００３２】
なお、このウェビング保持構造に関し、本実施の形態では、各折り重ね部１４３の折り返し状態を一時的に保持することができれば、面ファスナー１４４以外のウェビング保持手段を採用することもできる。例えば、折り重ね部をテアシームで縫合する構造や、折り重ね部を粘着テープ類等で巻き上げる構造によって、当該折り重ね部の折り返し状態を一時的に保持するようにしてもよい。また、その際、各ウェビング１４０の弛み部分を、所定の折り重ね状態（所定の折り返し状態）で、或いは所定の巻き上げ状態で、ウェビング保持手段を介して一時的に保持する構成を適宜採用することができる。
【００３３】
ここで、上記構成のモジュールカバー１３０の更なる詳細な構成を、図７〜図１１を参照しつつ説明する。本実施の形態のモジュールカバー１３０及びリテーナー１２３を車両上方から視た様子が図７に示され、車両後方から視た様子が図８に示され、車両側方から視た様子が図９に示される。また、図１０には、図７中のＣ−Ｃ断面における断面構造が示され、図１１には、図７中のＤ−Ｄ断面における断面構造が示される。
【００３４】
図７〜図９に示すように、本実施の形態のモジュールカバー１３０の立設部１３２には、車両後方側（乗員側）の外周面にテアライン１３３が形成され、両側の内周面にテアライン１３５，１３５が形成されている。本実施の形態では、これらテアライン１３３及びテアライン１３５，１３５を、天板部１３１ではなく立設部１３２に設けるように構成しているため、モジュールカバー１３０の上方から乗員や荷物等の荷重が作用した場合であっても、当該荷重がテアライン１３３やテアライン１３５，１３５に直接的に作用することがなく、当該荷重によって、モジュールカバー１３０がテアライン１３３やテアライン１３５，１３５において開裂するのを防止することが可能となる。なお、本実施の形態において、モジュールカバー１３０の立設部１３２に加え、当該立設部１３２から天板部１３１などの他の部位にわたって連続的にテアラインが形成される構成を採用することもできる。
また、本実施の形態では、テアライン１３３上に前述の通し孔１３４，１３４を設けることによって設置箇所を共有化することによる合理化が図られている。
【００３５】
テアライン１３３及びテアライン１３５，１３５は、図１０及び図１１に示すように、立設部１３２に三角状の切り欠き部分を設けることによって形成される。テアライン１３３及びテアライン１３５，１３５のこのような構成によって、立設部１３２の車両後方側及び両側には、当該立設部１３２の板厚の範囲内における所定深さの溝、すなわち板厚がほぼ均一とされた減肉部分が、三箇所にわたって連続状（連続的）に形成されることとなる。従って、これらテアライン１３３及びテアライン１３５，１３５は、所定深さの溝部分が線状に形成された「線状溝」、「減肉部」、「脆弱部」とも称呼される。これらテアライン１３３及びテアライン１３５，１３５が形成される箇所での厚み（減肉部分の厚み）を、エアバッグ１２１の展開膨張力等の仕様に基づいて適宜設定することによって、車両事故発生の際、モジュールカバー１３０は、エアバッグ１２１の展開膨張力によって立設部１３２のテアライン１３３及びテアライン１３５，１３５に沿って円滑に開裂し、当該テアラインよりもカバー上側部分が、立設部１３２の車両前方側をヒンジとして車両前方へと展開されることとなる。このとき、当該テアラインよりもカバー下側部分は、立設部１３２側の貫通孔に対し、リテーナー１２３側の留め具１２８が引っ掛け固定される形態、或いはリベット固定される形態とされており、テアライン開裂時やエアバッグ展開膨張時においてもリテーナー１２３側に確実に保持される（図８参照）。テアラインの構成に関しては、本実施の形態のように、所定深さの溝が連続的に形成される構成にかえて、所定深さの凹部が一定間隔毎に連続的に形成される構成、貫通孔がミシン目状に連続的に形成される構成や、貫通スリットが一定間隔毎に連続的に形成される構成などを採用することもできる。
【００３６】
なお、本実施の形態において、テアライン１３３及びテアライン１３５，１３５としての切り欠き部分は、モジュールカバー成形時に金型によって形成されるものであってもよいし、或いはモジュールカバー成形後にレーザー加工や超音波加工などの後加工によって形成されるものであってもよい。また、テアライン１３３及びテアライン１３５，１３５の断面形状は、三角状、半円状等、必要に応じて適宜変更可能である。また、テアライン形成箇所に関しては、テアライン１３３を、立設部１３２の車両後方側（乗員側）の内周面に形成したり、テアライン１３５，１３５を、立設部１３２の両側の外周面に形成してもよい。
【００３７】
次に、上記構成のリテーナー１２３の更なる詳細な構成を、図１２〜図１４を参照しつつ説明する。本実施の形態のリテーナー１２３を車両上方から視た様子が図１２に示される。また、図１３には、図１２中のＥ−Ｅ断面における断面構造が示され、図１４には、図１３中のＦ部分の拡大図が示される。
【００３８】
図１２及び図１３に示すように、本実施の形態のリテーナー１２３の底面（底部領域）には、インフレータ収容部１２３ｂに一対の孔状の第１貫通部１２５，１２５が設けられており、また左右端部に一対のスリット状の第２貫通部１２６，１２６が設けられており、更に前後端部に一対のスリット状の第３貫通部１２７，１２７が設けられている。これら第１貫通部１２５，１２５、第２貫通部１２６，１２６及び第３貫通部１２７，１２７は、いずれもリテーナー１２３の底部領域にて鉛直方向（垂直方向）に延在する貫通部分であり、リテーナー１２３内に侵入した水を、リテーナー１２３外へと排出する排水機能を有する。これにより、リテーナー１２３内に侵入した水は、その重力作用によって第１貫通部１２５，１２５、第２貫通部１２６，１２６及び第３貫通部１２７，１２７を通じて連続的或いは間欠的にリテーナー１２３外へと排出されることとなる。
【００３９】
ここで、本実施の形態のリテーナー１２３のような収容体は、その上部にエアバッグ開口が設けられた有底箱状の構造ゆえ、たとえ密閉性を向上させたとしても当該エアバッグ開口の周辺部分を通じて収容体内部に水や油などの流動性を有する液体が侵入し、また滞留し易い。特にオートバイ車両は、自動車と異なりエアバッグ装置自体が車外に露出する構成が一般的であり、雨、洗車水、湿度などの影響によってこのような問題がとりわけ顕著となる。そこで、本実施の形態では、リテーナー１２３の底面に、排水用の第１貫通部１２５，１２５、第２貫通部１２６，１２６及び第３貫通部１２７，１２７を設ける構成としたのである。勿論、リテーナー１２３内に侵入した水以外の油等の流動性を有する液体を、これら第１貫通部１２５，１２５、第２貫通部１２６，１２６及び第３貫通部１２７，１２７を通じてリテーナー１２３外へ排出することも可能である。この排水機能のための貫通部の構成としては、孔、スリット、メッシュ、パンチングプレート等、種々の開口形状を採用することが可能である。本実施の形態において、排水用の貫通部の設置箇所、設置数は必要に応じて適宜変更可能である。
【００４０】
第１貫通部１２５，１２５の設置箇所は、凹み状のインフレータ収容部１２３ｂに対応しており、リテーナー１２３の底面の各部位のうちの最低所となる。すなわち、リテーナー１２３の底部領域は、第１貫通部１２５，１２５に向けて下り傾斜（曲線状傾斜）とされた部位を有する構成とされる。従って、リテーナー１２３内に侵入した水は、インフレータ収容部１２３ｂの傾斜に沿って第１貫通部１２５，１２５側へと集水されるとともに、当該第１貫通部１２５，１２５を通じてリテーナー１２３外へと確実に排出されることとなる。
【００４１】
一方、第２貫通部１２６，１２６は、特には、リテーナー１２３内に侵入し左右端部に滞留した水を、自動二輪車１００を横に傾けてサイドスタンドを用いて駐車した場合や、運転中に車体が横に傾いた場合などに、リテーナー１２３外へと確実に排出する機能を有する。更に、この第２貫通部１２６，１２６の周辺においては、図１４に示すように、リテーナー１２３の底面は、その底面高さが第２貫通部１２６，１２６に向けて低くなるように下り傾斜構造となっている（傾斜角度θ）。すなわち、リテーナー１２３の底部領域は、第２貫通部１２６，１２６に向けて下り傾斜（直線状傾斜）とされた部位を有する構成とされる。これにより、リテーナー１２３内に侵入した水は、車体が傾斜状態にある場合は勿論のこと、車体が水平状態にある場合であっても、リテーナー１２３の底面の傾斜構造によって、第２貫通部１２６，１２６側へと集水され、当該第２貫通部１２６，１２６を通じてリテーナー１２３外へと確実に排水されることとなる。特に、第２貫通部１２６をリテーナー１２３の左右端部に設けたため、オートバイ車両が右側傾斜或いは左側傾斜したときに、当該第２貫通部１２６がリテーナー１２３底部の最低所となり易く、排水機能が高まることとなる。オートバイ車両が右側傾斜或いは左側傾斜する場合としては、オートバイ車両を右側傾斜或いは左側傾斜させて駐車したときや、右側カーブ或いは左側カーブを走行中にオートバイ車両が右側或いは左側に傾斜したとき等が挙げられる。リテーナー１２３の底面の傾斜角度θは、リテーナー１２３の仕様等に基づいて適宜設定可能である。
【００４２】
更に、第３貫通部１２７，１２７は、特には、リテーナー１２３内に侵入し前後端部に滞留した水を排出する機能を有する。例えば、自動二輪車１００を上り勾配や下り勾配の路面を走行するときには車両前部が車両後部よりも低くなることで傾斜したり、車両前部が車両後部よりも高くなることで傾斜することとなる。本実施の形態では、このような場合に、前方側或いは後方側の第３貫通部１２７がリテーナー１２３底部の最低所となり易く、リテーナー１２３内の水が当該第３貫通部１２７を通じてリテーナー１２３外へと確実に排出されることとなる。なお、車両が前後に傾斜する場合としては、勾配や下り勾配の路面を走行する場合の他、リテーナー１２３自体が車両に対し傾斜状に組み付けられている場合などがある。
【００４３】
なお、本実施の形態の排水構造に関しては、水の表面張力を勘案した場合、第１貫通部１２５，１２５の孔径として７ｍｍ以上（断面積を３８ｍｍ２以上）を確保し、また、第２貫通部１２６，１２６及び第３貫通部１２７，１２７の断面績を第１貫通部１２５，１２５の断面積と同様とするように、或いは第２貫通部１２６，１２６及び第３貫通部１２７，１２７のスリット幅を第１貫通部１２５，１２５の孔径と同様とするように設定するのが好ましい。
【００４４】
次に、上記構成のエアバッグ装置１２０の作動形態を、図１５〜図１８等を参照しながら説明する。ここで、本実施の形態のエアバッグ装置１２０におけるエアバッグ１２１の展開膨張初期の状態が図１５に示され、当該エアバッグ１２１の展開膨張中期の状態が図１６に示され、当該エアバッグ１２１の展開膨張完了の状態が図１７及び図１８に示されている。特に、図１７は、エアバッグ１２１の展開膨張完了の状態を車両側方から視た図であり、図１８は、エアバッグ１２１の展開膨張完了の状態を車両上方から視た図である。
【００４５】
自動二輪車１００が、その進行方向側にて衝突事故を起こした場合、乗員は自動二輪車１００の前方へ向けて移動し（投げ飛ばされ）ようとする。本実施の形態では、この前方衝突の検知により、エアバッグ装置１２０のインフレータ１２２が作動し、当該インフレータ１２２にて発生した膨張ガスがエアバッグ１２１内へと供給開始されることとなる。これにより、作動前の状態である図３中のエアバッグ装置１２０において、矢印１０方向に向かってエアバッグ１２１の突出（展開）動作が開始される。そして、エアバッグ１２１内に膨張ガスが送り込まれ続けることにより、エアバッグ１２１にリテーナー１２３側から順次膨張部が形成されていくことになる。
【００４６】
このとき、図１５に示すように、エアバッグ１２１が展開膨張初期の状態では、リテーナー１２３内において展開膨張過程のエアバッグ１２１が、モジュールカバー１３０の天板部１３１を下面から押圧する。これにより、エアバッグ１２１から所定以上の展開膨張力を受けたモジュールカバー１３０は、立設部１３２に形成されたテアライン（図７中のテアライン１３３及びテアライン１３５，１３５）に沿って開裂する。また、エアバッグ１２１の展開膨張動作の開始によって、当該エアバッグ１２１に縫合された各ウェビング１４０には一端部１４１を介して引っ張り荷重の作用が開始される。これにより、各ウェビング１４０は、ウェビングカバー１０７を上方へと押し開いて当該ウェビングカバー１０７による被覆状態が解除されることとなる。
【００４７】
また、図１６に示すように、エアバッグ１２１が展開膨張中期の状態では、テアラインに沿って開裂したモジュールカバー１３０は、更にエアバッグ１２１からの展開膨張力を受け、立設部１３２の車両前方側をヒンジとして車両前方へと展開されることとなる。このとき、各ウェビング１４０に一端部１４１を介して更なる引っ張り荷重が作用すると、面ファスナー１４４による保持力が解除され、各折り重ね部１４３の折り返し状態が解除されることとなる。このとき、本実施の形態では、ウェビング１４０，１４０の折り重ね部１４３，１４３が概ね左右対称位置に配置されているため、エアバッグ１２１の展開膨張時において伸長動作する各ウェビング１４０が当該エアバッグ１２１に及ぼす荷重を左右でほぼ均等にして、当該エアバッグ１２１を左右均等に展開膨張させることが可能となる。
【００４８】
かくして、図１７及び図１８に示すように、エアバッグ１２１が完全に展開され膨張した状態が形成されることとなる。この状態では、膨張したエアバッグ１２１は、図１７中の乗員Ｒの前方に形成される乗員拘束領域１５０に充溢する。これにより、車両衝突時の運動エネルギーによって前方移動方向へ移動しようとする乗員Ｒは、膨張した当該エアバッグ１２１によって拘束されるとともに、拘束時に乗員Ｒに作用する衝撃が緩和されることとなる。
【００４９】
また、各ウェビング１４０は、エアバッグ１２１と留め具１０８との間において、ほぼ直線状に延びきった伸長状態を形成し、車両上方ないし車両前方へと向かうエアバッグ１２１の動作を各ウェビング１４０の張力によって規制する。また、展開膨張が完了したエアバッグ１２１は、その車両前方側がフロント部１０２に当接し、その両側がハンドル１０４に当接するように構成されている。これにより、展開膨張が完了したエアバッグ１２１による乗員Ｒの拘束安定化を図ることが可能となる。
【００５０】
以上のように、本実施の形態によれば、自動二輪車１００に装着されるエアバッグ装置１２０において、特に、エアバッグ１２１を車体側に繋ぎ留める長尺状の各ウェビング１４０の弛み部分を、エアバッグ収容時において所定の折り重ね状態に保持する一方、エアバッグ展開膨張時において当該保持を解除するウェビング保持構造を用いることによって、各ウェビング１４０の動作がエアバッグ１２１の所望の展開膨張動作に対し影響を及ぼすのを抑えることができ、これによってエアバッグ１２１の展開膨張動作の円滑化を図ることが可能となった。すなわち、弛み部分が同一の束ね態様で予め保持された左右一対のウェビング１４０，１４０が、エアバッグ１２１の展開膨張動作に伴って弛み状態から伸長状態となるとき、当該動作が面ファスナー１４４によって円滑化されるため、エアバッグ１２１が左右いずれか一方に片寄るのを防止することが可能となる。特に、面ファスナー１４４を用いることによって、各ウェビング１４０の弛み部分における対向面同士の貼り及び剥がしが自在とされ繰り返し使用が可能となるため合理的である。
また、左右一対のウェビング１４０，１４０を用いる場合に、各ウェビング１４０に設ける折り重ね部１４３の位置を左右対称とすることによって、各ウェビング１４０がエアバッグ１２１に及ぼす荷重を左右でほぼ均等にすることが可能となり、当該エアバッグ１２１を左右均等にバランスよく展開膨張させることが可能となる。
また、本実施の形態によれば、各ウェビング１４０の折り重ね部１４３における所定の折り重ね状態を保持する手段として面ファスナー１４４を用いることによって、弛み部分における対向面同士の貼り及び剥がしが自在とされ繰り返し使用が可能となるため合理的である。
【００５１】
（他の実施の形態）
なお、本発明は上記の実施の形態のみに限定されるものではなく、種々の応用や変形が考えられる。例えば、上記実施の形態を応用した次の各形態を実施することもできる。
【００５２】
上記実施の形態のエアバッグ装置１２０では、左右一対のウェビング１４０，１４０によってエアバッグ１２１を車体側に繋ぎ留める構成について記載したが、本発明では、単一（１本）のウェビング（繋留手段）によって、エアバッグを車体側に繋ぎ留める構成を採用することもできる。本構成においては、エアバッグと車両乗員との間に形成される車両の概ね中央領域をウェビングが前後方向に延在するように構成する。そして、エアバッグ収容時における単一のウェビングの弛み部分を所定の束ね態様で保持する一方、エアバッグ展開膨張時において当該保持を解除する保持手段として、上述のように、弛み部分での対向面同士をパイル構造を介して離着自由とする面ファスナー、弛み部分を離脱可能に縫合する縫合部、弛み部分を離脱可能に縛る縛り部などを用いる。このような構成によっても、弛み部分が所定の束ね態様で予め保持された単一のウェビングが、弛み状態から伸長状態となる動作を、保持手段によって円滑化することで、当該ウェビングがエアバッグの展開膨張動作を規制するのを防止することが可能となる。本構成は、ハンドルとシートの間に乗員脚部の横移動を許容する空間を有するスクータータイプの車両に好適に用いられる。
【００５３】
また、上記実施の形態では、いわゆるツーリングタイプの自動二輪車１００について記載したが、ハンドルとシートの間に乗員脚部の横移動を許容する空間を有するスクータータイプのような他の種類のオートバイ、更には自動二輪車１００以外のオートバイ車両に本発明を適用することもできる。
【００５４】
また、上記実施の形態では、エアバッグ装置１２０を燃料タンク１０６の前方に配置する場合ついて記載したが、車両衝突の際エアバッグ１２１が所望の領域に展開膨張することが可能であれば、エアバッグ装置１２０を配置する位置は適宜変更可能である。エアバッグ装置１２０を、例えば図１中に示す位置よりも後方位置や下方位置に適宜配置することもできる。
【図面の簡単な説明】
【００５５】
【図１】本発明の「オートバイ」の一実施の形態に係る自動二輪車１００を側面から視た図であって、当該自動二輪車１００の車両にエアバッグ装置１２０を搭載した様子を示す。
【図２】図１中の自動二輪車１００を車両上方から視た様子を示す図である。
【図３】図２中の自動二輪車１００のＡ−Ａ線における断面構造を示す図である。
【図４】図３の部分拡大図である。
【図５】図２中の自動二輪車１００のＢ−Ｂ線における断面構造を示す図である。
【図６】本実施の形態のウェビング１４０，１４０における折り重ね部１４３，１４３の構成を示す図である。
【図７】本実施の形態のモジュールカバー１３０及びリテーナー１２３を車両上方から視た様子を示す図である。
【図８】本実施の形態のモジュールカバー１３０及びリテーナー１２３を車両後方から視た様子を示す図である。
【図９】本実施の形態のモジュールカバー１３０及びリテーナー１２３を車両側方から視た様子を示す図である。
【図１０】図７中のＣ−Ｃ断面における断面構造を示す図である。
【図１１】図７中のＤ−Ｄ断面における断面構造を示す図である。
【図１２】本実施の形態のリテーナー１２３を車両上方から視た様子を示す図である。
【図１３】図１２中のＥ−Ｅ断面における断面構造を示す図である。
【図１４】図１３中のＦ部分の拡大図である。
【図１５】本実施の形態のエアバッグ装置１２０におけるエアバッグ１２１の展開膨張初期の状態を示す図である。
【図１６】本実施の形態のエアバッグ装置１２０におけるエアバッグ１２１の展開膨張中期の状態を示す図である。
【図１７】本実施の形態のエアバッグ装置１２０におけるエアバッグ１２１の展開膨張完了の状態であって、エアバッグ１２１の展開膨張完了の状態を車両側方から視た図である。
【図１８】本実施の形態のエアバッグ装置１２０におけるエアバッグ１２１の展開膨張完了の状態であって、エアバッグ１２１の展開膨張完了の状態を車両上方から視た図である。
【符号の説明】
【００５６】
１００…自動二輪車
１０１…車体構成部
１０２…フロント部
１０３…シート
１０４…ハンドル
１０５…車体構成部材
１０６…燃料タンク
１０７…ウェビングカバー
１２０…エアバッグ装置
１２１…エアバッグ
１２２…インフレータ
１２３…リテーナー
１２３ａ…エアバッグ収容部
１２３ｂ…インフレータ収容部
１２４…折り曲げ部
１２４ａ…円滑面
１２５…第１貫通部
１２６…第２貫通部
１２７…第３貫通部
１２８…留め具
１３０…モジュールカバー
１３１…天板部
１３２…立設部
１３３，１３５…テアライン
１３４…通し孔
１４０…ウェビング
１４１…一端部
１４２…他端部
１４３…折り重ね部
１４４…面ファスナー
１５０…乗員拘束領域
Ｒ…乗員
【図１】
0004639128.tif 000002
【図２】
0004639128.tif 000003
【図３】
0004639128.tif 000004
【図４】
0004639128.tif 000005
【図５】
0004639128.tif 000006
【図６】
0004639128.tif 000007
【図７】
0004639128.tif 000008
【図８】
0004639128.tif 000009
【図９】
0004639128.tif 000010
【図１０】
0004639128.tif 000011
【図１１】
0004639128.tif 000012
【図１２】
0004639128.tif 000013
【図１３】
0004639128.tif 000014
【図１４】
0004639128.tif 000015
【図１５】
0004639128.tif 000016
【図１６】
0004639128.tif 000017
【図１７】
0004639128.tif 000018
【図１８】
0004639128.tif 000019